(57)【特許請求の範囲】
【請求項１】
発進、走行、停止の制御を行なう電子制御回路を有する自動車内の該電子制御回路の一部を回路部品として分離可能に装備し、この分離可能な回路部品が前記電子制御回路のＣＰＵのメモリーの一部であり、操作者が自動車から離れる時に前記電子制御回路から該回路部品が分離され、該回路部品の装着によって電子制御回路が動作可能とするか、またはエンジンスタートキーの着脱若しくはドアの開閉動作に関連して前記回路部品が前記電子制御回路に接続、分離されることを特徴とする自動車の盗難防止装置。
【請求項２】
発進、走行、停止の制御を行なう電子制御回路を有する自動車内の該電子制御回路の一部を回路部品として着脱可能に装備し、この着脱可能な回路部品が前記電子制御回路のＣＰＵのメモリーの一部であり、操作者が自動車から離れる時に前記電子制御回路から該回路部品を抜取り、エンジンスタートキーと共に携行することができることを特徴とする自動車盗難防止装置。
【請求項３】
前記分離または着脱可能の前記回路部品が自動車の燃料噴射装置の電子制御回路におけるＣＰＵのメモリーの一部であることを特徴とする請求項１または請求項２に記載の自動車の盗難防止装置。
【発明の詳細な説明】
【０００１】
【発明の属する技術分野】
本発明は自動車の盗難防止装置の改良に関する。
【０００２】
【従来の技術】
従来の自動車の盗難防止装置には、例えば、オートバイであると、その前輪をチェーン又はくさりで、固定物に止める等の方法をとるものがある。
また、乗用車であると、無線式の監視装置で、その乗用車を常時モニターするものがある。
【０００３】
【発明が解決しようとする課題】
しかし前者のような盗難防止装置であると、容易に破壊されてしまうので、さして有効ではない。
また後者のものであると、非常に高価であるし、監視を怠っていると全く盗難には無力である。
現在は駐車場が借りにくくなっており、自宅からかなり離れた駐車場を借りているのが普通となってきており、盗難が心配される。ドアをロックしておいても、比較的容易に開けられてしまうし、また、エンジンスタートキーがなくても、その道のプロになると、始動させるのは容易である。
【０００４】
本発明の目的は、不法侵入者では始動させるのが非常に困難となる安価かつ簡単な自動車の盗難防止装置を提供することにある。
【０００５】
【課題を解決するための手段】
上記目的を達成するため第１の発明の自動車の盗難防止装置は、発進、走行、停止の制御を行なう電子制御回路を有する自動車内の該電子制御回路の一部を回路部品として分離可能に装備し、この分離可能な回路部品が前記電子制御回路のＣＰＵのメモリーの一部であり、操作者が自動車から離れる時に前記電子制御回路から該回路部品が分離され、該回路部品の装着によって電子制御回路が動作可能とするか、またはエンジンスタートキーの着脱若しくはドアの開閉動作に関連して前記回路部品が前記電子制御回路に接続、分離される自動車の盗難防止装置の構成である。
【０００６】
第１の発明において、発進、走行、停止の制御を行なう電子制御回路を有する自動車内の該電子制御回路の一部を回路部品として着脱可能に装備し、この着脱可能な回路部品が前記電子制御回路のＣＰＵのメモリーの一部であり、操作者が自動車から離れる時に前記電子制御回路から該回路部品を抜取り、エンジンスタートキーと共に携行する構成、または前記分離または着脱可能の前記回路部品が自動車の燃料噴射装置の電子制御回路のＣＰＵのメモリーの一部である構成であってもよい。
【０００７】
本発明の自動車の盗難防止装置は、自動車の走行制御のための電子制御回路を備え、この電子制御回路所定の信号発生器からの信号に応答して動作可能に構成してもよい。この信号発生器は自動車の車室内において固定され、所定の暗証番号の入力により前記信号を発生する構成および前記信号発生器はエンジンスタートキーに連動して前記信号を発生するように構成してもよい。また、前記回路部品は自動車のドア開閉用リモートコントロール装置の開閉信号に応じたドア開閉装置に連動して前記電子制御回路に接続されるようにしてもよい。
【０００９】
【発明の実施の形態】
図１は本発明の自動車の盗難防止装置の一実施例を示す。同図において、１は電子制御式燃料噴射装置、２は電子制御回路、３は各種センサー、４はエンジンスタートキー、５は所定の回路部品である。
【００１０】
電子制御式燃料噴射装置１及び電子制御回路２は夫々公知のものであり、例えば、上記装置１は燃料インジェクター１ａ、サーキットオープニングリレー１ｂ等から成り、電子制御回路２は、ＣＰＵ２ａ、メモリ２ｂ、入力インターフェース２ｃ，２ｄ、Ａ／Ｄコンバータ２ｅ、出力インターフェース２ｆ、定電圧電源２ｇ等から成る。
【００１１】
而してメモリ２ｂは、入力情報を記憶するＲＡＭ、所定の制御ソフトが記憶されていて、該ソフトに基づく制御信号を出力するＲＯＭから成り、本発明において、上記回路部品５は、例えば、上記ＲＯＭの一部を構成するものである。即ち、回路部品５を電子制御回路２に接続することによりＲＯＭは完全なものとなって動作可能となるのであり、回路部品５を非接続にすると電子制御回路２は動作しない。従って、この状態で、エンジンスタートキー４を操作しても、自動車を始動させることはできない。
【００１２】
回路部品５は、車室内において着脱可能に構成するのが好適で、運転を停止して車外に出る時はエンジンスタートキー４と共に回路部品５を外して出るようにすれば、盗難をほぼ完全に防止できる。また回路部品５は上記ＲＯＭの一部に限定されるものではなく、要するに、電子制御回路２の動作を可能化する回路部品であれば如何なるものでもよい。
【００１３】
更に回路部品５は、必ずしも着脱可能に構成しなくてもよい。回路部品５は車室内に固定し、例えば、図２に示すようにエンジンスタートキー４に連動して回路部品５が電子制御回路２に接続されるようなスイッチ６を設けるように構成する。或いは、回路部品５はドア内に固定し、図３に示すように、ドア開閉用リモートコントロール装置７の発生するドア開閉信号に応動するスイッチ８により回路部品５が電子制御回路２に接続されるように構成する。
【００１４】
次に本発明の他の実施例としては、上記回路部品５の代りに、所定の信号発生器を使用し、電子制御回路２はその信号に応答して動作可能に構成する。
図４はかかる実施例で、１０は無線式の動作可能化信号発生器、１１は受信部で、電子制御回路２は受信部１１で受信された動作可能化信号が入力されると、その信号をＣＰＵ２ａが判定して始めて動作可能となるように構成されている。そのためＣＰＵ２ａのＲＯＭには、そのための制御ソフトがメモリされている。
【００１５】
信号発生器１０は、車室内に固定してもよく、その場合は、暗証番号の入力により動作可能化信号を発生する構成とするのがよい。この暗証番号は固定式でも、変更可能式としてもよい。
【００１６】
或いは、車室内に固定し、エンジンスタートキーに連動して前記信号を発生するように構成してもよい。
または、図５に示すように、エンジンスタートキー４のツマミ部分４ａ等内に埋設してもよい。
更には、信号発生器１０をドア内に固定し、ドア開閉用リモートコントロール装置が出力する開閉信号に応答して動作可能化信号を発生させるように構成してもよい。
【００１７】
図６は本発明の更に他の実施例である。同図において、２０は所定の回路部品で、これは、電子制御回路２に接続されると、該回路を動作不能化、従って非接続されると、動作可能化とする回路部品である。回路部品２０としては、例えば、電子制御回路２内のＣＰＵ２ａの出力ラインｌをアースするスイッチＳＷで、このスイッチをオフすることにより電子制御回路２は動作可能になる。
【００１８】
回路部品２０は車室内の比較的見にくい位置、例えば、ダッシュボードの内等において、固定又は着脱可能にする。又は回路部品２０を車室内の内部に埋設し、外部からは見つけられないように配置し、エンジンスタートキーに連動して電子制御回路と非接続されるように構成する。
【００１９】
なお本発明において、前記回路部品５，２０、発信器１０等を複数個用いてもよく、夫々異なるタイプのものを用いてもよい。また制御回路２は燃料噴射装置だけでなく、他の走行に関係ある装置をコントロールする機能を有していてもよく、更には乗用車だけでなく、オートバイ等を対象とするものでもよい。
【００２０】
【発明の効果】
以上説明したように本発明によれば、簡単かつ安価な構成により自動車の始動を不可能とすることができるので、盗難防止に大変有効である。
なお、本発明の適用された自動車そのものをレッカー車で盗難されることも考えられるが、その場合でも、始動できないので、盗難予防の効果はある。かかる場合を想定して、本発明の施されていることを示す適当なマークを車外から分かるように表示するのも有効である。
【図面の簡単な説明】
【図１】本発明の一実施例を示すブロック図である。
【図２】上記実施例の変形例を示す図である。
【図３】上記実施例の他の変形例を示す図である。
【図４】本発明の他の実施例を示すブロック図である。
【図５】図４の実施例の変形例を示す図である。
【図６】本発明の更に他の実施例の構成を示すブロック図である。
【符号の説明】
１  電子制御式燃料噴射装置
２  電子制御回路
３  各種センサー
４  エンジンスタートキー
５  所定の回路部品
【図１】
0003674914.tif 000002
【図２】
0003674914.tif 000003
【図３】
0003674914.tif 000004
【図４】
0003674914.tif 000005
【図５】
0003674914.tif 000006
【図６】
0003674914.tif 000007